(57)【特許請求の範囲】
【請求項１】
１本のワイヤ電極を複数のガイドローラに巻回することにより形成された、被加工物に対向する並列した複数の切断ワイヤ部と、
前記切断ワイヤ部それぞれと前記被加工物との間に電圧を印加する電源手段と、
前記切断ワイヤ部と前記被加工物との間隔を制御する位置制御手段とを備え、
前記位置制御手段が前記間隔を制御しつつ前記電源手段が印加する電圧により複数の前記切断ワイヤ部と前記被加工物との間に放電を生じさせることにより、前記被加工物に複数の溝を同時に形成するワイヤ放電加工装置において、
前記ワイヤ電極を複数の前記ガイドローラに巻回することにより形成された並列した複数のワイヤに近接して磁性体を配置し、
前記磁性体は、前記並列した複数のワイヤを取り囲む形状である
ことを特徴とするワイヤ放電加工装置。
【請求項２】
前記磁性体は、前記並列した複数のワイヤを収容する中空を有する形状である
ことを特徴とする請求項１に記載のワイヤ放電加工装置。
【請求項３】
前記磁性体は、複数の部分に分解可能である
ことを特徴とする請求項２に記載のワイヤ放電加工装置。
【請求項４】
１本のワイヤ電極を複数のガイドローラに巻回することにより形成された、被加工物に対向する並列した複数の切断ワイヤ部と、
前記切断ワイヤ部それぞれと前記被加工物との間に電圧を印加する電源手段と、
前記切断ワイヤ部と前記被加工物との間隔を制御する位置制御手段とを備え、
前記位置制御手段が前記間隔を制御しつつ前記電源手段が印加する電圧により複数の前記切断ワイヤ部と前記被加工物との間に放電を生じさせることにより、前記被加工物に複数の溝を同時に形成するワイヤ放電加工装置において、
前記ワイヤ電極を複数の前記ガイドローラに巻回することにより形成された並列した複数のワイヤに近接して磁性体を配置し、
前記磁性体は、複数の前記ガイドローラの両端を内部で保持する加工槽であり、
複数の前記ガイドローラは磁性材を含んでいる
ことを特徴とするワイヤ放電加工装置。
【請求項５】
複数の前記ガイドローラの前記ワイヤ電極に接触する部分は絶縁材からなる
ことを特徴とする請求項４に記載のワイヤ放電加工装置。
【請求項６】
複数の前記ガイドローラの外周が絶縁材、内芯は磁性材からなる
ことを特徴とする請求項５に記載のワイヤ放電加工装置。
【請求項７】
複数の前記ガイドローラは磁性絶縁材からなる
ことを特徴とする請求項４または５に記載のワイヤ放電加工装置。
【請求項８】
前記磁性体は、複数の前記ガイドローラの両端を内部で保持する加工槽と、前記加工槽に保持されて複数の前記ガイドローラ及びそれを巻回する前記ワイヤ電極に囲まれた空間に配置された磁性材とからなる
ことを特徴とする請求項１または２に記載のワイヤ放電加工装置。
【請求項９】
前記磁性体は、鉄系材料である
ことを特徴とする請求項１から８のいずれか１つに記載のワイヤ放電加工装置。
【請求項１０】
亜硝酸イオン交換手段をさらに備える
ことを特徴とする請求項９に記載のワイヤ放電加工装置。
【発明の詳細な説明】
【技術分野】
【０００１】
本発明は、ワイヤ放電加工装置に関する。
【背景技術】
【０００２】
従来、ワイヤ放電加工により工作物に複数の溝を同時に加工する場合、１本のワイヤ電極を複数のガイドローラ間に複数回巻回すことにより、工作物に対して対向して形成される複数の切断ワイヤ部を形成し、各切断ワイヤ部と工作物の間に電圧を印加しながら工作物を加工方向に送って放電加工を行う（例えば、特許文献１参照）。
【０００３】
この場合、各切断ワイヤ部は１本のワイヤ電極からなるために互いに導通しているが、ワイヤ電極をガイドローラに複数回巻回すことによりコイルを形成すれば、このコイルのインピーダンスによって各切断ワイヤ部を流れる高周波電流に対する絶縁性が高まるので、同時並列的に放電加工を行うことが可能となっている。
【０００４】
しかしながら、ガイドローラにワイヤ電極を複数回巻回すると、各切断ワイヤ間の間隔を狭くすることが困難となり、工作物を薄くスライスできないという問題があった。これに対して、ガイドローラへの複数回の巻回なしに各切断ワイヤ部の高周波絶縁性を高めることで、同時並列的な放電加工を実現しながら、工作物を薄くスライスすることも可能な技術が開示されている（例えば、特許文献２参照）。
【先行技術文献】
【特許文献】
【０００５】
【特許文献１】特開２０００−９４２２１号公報
【特許文献２】特開２００７−２３７３４８号公報
【発明の概要】
【発明が解決しようとする課題】
【０００６】
しかしながら、上記特許文献２において高周波絶縁要素を取り付けるには、一本のワイヤ電極をガイドローラに巻回することによって切断ワイヤ部を形成する度に、ワイヤ電極に高周波絶縁要素を取り付け、これを切断ワイヤ本数だけ繰り返していた。また切断ワイヤの数だけ存在する高周波絶縁要素を保持する必要もあるため、この構成では高周波絶縁要素を取り付ける段取りに多大な工数を要するという問題があった。
【０００７】
本発明は、上記に鑑みてなされたものであって、従来技術より簡易な構造で各切断ワイヤ部の高周波絶縁性を高め、効率的な同時並列放電の実現するワイヤ放電加工装置を得ることを目的とする。
【課題を解決するための手段】
【０００８】
上述した課題を解決し、目的を達成するために、本発明は、１本のワイヤ電極を複数のガイドローラに巻回することにより形成された、被加工物に対向する並列した複数の切断ワイヤ部と、前記切断ワイヤ部それぞれと前記被加工物との間に電圧を印加する電源手段と、前記切断ワイヤ部と前記被加工物との間隔を制御する位置制御手段とを備え、前記位置制御手段が前記間隔を制御しつつ前記電源手段が印加する電圧により複数の前記切断ワイヤ部と前記被加工物との間に放電を生じさせることにより、前記被加工物に複数の溝を同時に形成するワイヤ放電加工装置において、前記ワイヤ電極を複数の前記ガイドローラに巻回することにより形成された並列した複数のワイヤに近接して磁性体を配置することを特徴とする。
【発明の効果】
【０００９】
本発明によれば、各切断ワイヤ部を互いに高周波的に絶縁することで同時並列的な放電加工の効率を向上させた上で、従来技術に比べて高周波絶縁要素の取り付けが容易になり加工段取りの工数を削減できるという効果を奏する。
【図面の簡単な説明】
【００１０】
【図１】図１は、実施の形態１にかかるワイヤ放電加工装置の構成を示す斜視図である。
【図２】図２は、実施の形態２にかかるワイヤ放電加工装置の構成を示す斜視図である。
【図３】図３は、実施の形態３にかかるワイヤ放電加工装置の構成を示す斜視図である。
【図４】図４は、実施の形態４にかかる加工槽とガイドローラからなるワイヤ放電加工装置の構造の一部を示す斜視図である。
【図５−１】図５−１は、実施の形態４にかかる加工槽とガイドローラからなるワイヤ放電加工装置の構造の一部を示す上面投影図である。
【図５−２】図５−２は、実施の形態４にかかる加工槽とガイドローラからなるワイヤ放電加工装置の構造の一部を示す正面投影図である。
【図５−３】図５−３は、実施の形態４にかかる加工槽とガイドローラからなるワイヤ放電加工装置の構造の一部を示す側面投影図である。
【図６】図６は、実施の形態５にかかる加工槽とガイドローラと高周波絶縁要素からなるワイヤ放電加工装置の構造の一部を示す斜視図である。
【図７】図７は、実施の形態５にかかる加工槽とガイドローラと高周波絶縁要素からなるワイヤ放電加工装置の構造の一部を示す右側面投影図である。
【発明を実施するための形態】
【００１１】
以下に、本発明にかかるワイヤ放電加工装置の実施の形態を図面に基づいて詳細に説明する。なお、この実施の形態によりこの発明が限定されるものではない。
【００１２】
実施の形態１．
図１は本発明の実施の形態１にかかるワイヤ放電加工装置１００の装置全体を示す図である。図１において、ワイヤ放電加工装置１００は、ワイヤ電極２を繰り出すワイヤボビン１、ワイヤ電極２を回収する回収ローラ５、ワイヤ電極２を巻回する第１のガイドローラ３ａ、第２のガイドローラ３ｂ、第３のガイドローラ３ｃ、及び第４のガイドローラ３ｄを備える。ガイドローラ３ａ、３ｂ、３ｃ、及び３ｄそれぞれにはワイヤ電極２が順次巻き掛けられ、軸線方向に並行に配置されている。
【００１３】
ワイヤ電極２のうち第１のガイドローラ３ａと第２のガイドローラ３ｂとの間では、互いに平行に張られた切断ワイヤ部２ａが形成されている。この切断ワイヤ部２ａと対向する被加工物８（工作物）は、図示しない位置制御手段によって切断ワイヤ部２ａとの間隔（極間距離）を適切に制御されながら切断方向に移動させられる。被加工物８と切断ワイヤ部２ａとの間には通常のワイヤ放電加工装置と同様に吹きかけ、もしくは浸漬により加工液が供給される。
【００１４】
ワイヤ電極２のうち第２のガイドローラ３ｂと第３のガイドローラ３ｃとの間に、互いに平行に張られた複数のワイヤ部２ｂにはそれぞれ給電子ユニット７１が接触している。この給電子ユニット７１を介してワイヤ部２ｂは加工電源ユニット６１とそれぞれ接続されており、各給電子ユニット７１は各切断ワイヤ部２ａに電圧を印加する。各給電子ユニット７１は互いに絶縁された状態で積層され給電子７を構成している。
【００１５】
各加工電源ユニット６１は、各給電子ユニット７１を介して切断ワイヤ部２ａにそれぞれ独立に電圧を印加可能な構成になっており、そのグランドは共通化され、全体として加工電源６を構成する。加工電源６は各切断ワイヤ部２ａと被加工物８の間に電圧を印加するため、加工電源６の共通グランドは被加工物８に接続されている。
【００１６】
ワイヤ電極２のうち第１のガイドローラ３ａと第４のガイドローラ３ｄとの間のワイヤ部２ｃは高周波絶縁要素４１と近接しており、ワイヤ電極２を流れる高周波電流によって発生した磁界を引き寄せ、引き寄せられた磁界は高周波絶縁要素４１において収束し、熱エネルギーとして消費される。従って、切断ワイヤ部２ａはそれぞれ高周波的に絶縁される。
【００１７】
高周波絶縁要素４１としては、例えば機械的強度に優れる鉄系材料などの磁性体を用いるのが好ましいが、他にもフェライトなどの磁性体を用いてもよい。なお、高周波絶縁要素４１は放電電流経路とならないワイヤ部と近接する必要があるので、高周波絶縁要素４１は給電子７から切断ワイヤ部２ａまでの距離が長い側のワイヤ部と近接するように配置される。図１の場合は、高周波絶縁要素４１は給電子７からガイドローラ３ｃ、３ｄ、３ａを経由して切断ワイヤ部２ａまでの間に配置される。
【００１８】
次に、実施の形態１にかかるワイヤ放電加工装置１００の動作を図１に従って説明する。ワイヤボビン１から繰り出されたワイヤ電極２は、第１のガイドローラ３ａ、第２のガイドローラ３ｂ、第３のガイドローラ３ｃ、および第４のガイドローラ３ｄの順に走行した後、再び第１のガイドローラ３ａを通る。
【００１９】
このようにして、ワイヤボビン１から繰り出された１本のワイヤ電極２は、第１のガイドローラ３ａ、第２のガイドローラ３ｂ、第３のガイドローラ３ｃ、および第４のガイドローラ３ｄを繰り返し走行することによって複数の切断ワイヤ部２ａを形成し、最後に回収ローラ５から排出される。
【００２０】
加工電源６は互いに独立に電圧を印加できる複数の加工電源ユニット６１からなり、給電子７もそれぞれが互いに絶縁された複数の給電子ユニット７１からなり、各切断ワイヤ部２ａに独立して電圧を印加できる構成となっている。加工電源６は給電子７を介して各切断ワイヤ部２ａに高周波パルス電圧を印加する。高周波パルス電圧は一般には１０ｋＨｚ以上で印加される。
【００２１】
被加工物８は、図示しない駆動装置によって切断ワイヤ部２ａとの極間距離を適切に制御されながら、図１の下方に送られることによってワイヤ切断部２ａのいずれかで放電火花が発生する。被加工物８と切断ワイヤ部２ａの間で放電火花が飛ぶと、加工電源６から給電子７を介してワイヤ電極に放電電流が供給される。放電電流は被加工物８に近い方向へとワイヤ電極を流れた後、切断ワイヤ部２ａから被加工物８へ、そして、被加工物８からは加工電源６と共通化されたグランドへと流れる。
【００２２】
放電が発生した切断ワイヤ部２ａと、これに隣接する切断ワイヤ部２ａとの間のインピーダンスは高周波絶縁要素４１を備えることで高められているので、隣接する切断ワイヤ部２ａへと放電電流が流れることはない。そのため、各切断ワイヤ部２ａに印加される電圧が降下することもなく、放電が発生するのに十分な電圧が印加された状態となり、被加工物８が下方に送られることによって複数の切断ワイヤ部２ａで同時並列的に放電火花が発生し、複数の溝の同時加工が行われる。
【００２３】
以上の構成によれば、いずれかのガイドローラ間の複数のワイヤと近接するように高周波絶縁要素４１を備えることで各切断ワイヤ部２ａの間が高周波的に絶縁されるため、効率的に同時並列的な放電加工が可能となる。複数の切断ワイヤをまとめて一つのコイルとみなし、このコイルの自己インダクタンスを高くすることで、各切断ワイヤの高周波絶縁性を高めている。即ち、加工効率を向上して、被加工物のスライス厚さを薄くすることが実現できる。また、従来技術に比べて高周波絶縁要素４１の取り付けが容易であり、一つの高周波絶縁要素で複数のワイヤをまとめて高周波絶縁することにより加工段取りの工数を削減でき、生産性を向上させることができる。
【００２４】
実施の形態２．
図２は本発明の実施の形態２にかかるワイヤ放電加工装置２００の装置全体を示す図である。ここで、先に説明した実施の形態１にかかる図１と同一の符号は同一の構成要素を表わしており、説明を省略する。
【００２５】
本実施の形態においては、実施の形態１の図１の構成において複数のワイヤ部２ｃに近接するように設けた高周波絶縁要素４１の代わりに、図２に示すように複数のガイドローラ３ａ、３ｂ、３ｃ、および３ｄにより形成される空間に高周波絶縁要素４２を配置している。即ち、ガイドローラ３ａ〜３ｄ及びそれを巻回するワイヤ電極２に囲まれた空間の中に高周波絶縁要素４２を配置している。
【００２６】
複数のガイドローラ３ａ、３ｂ、３ｃ、および３ｄにワイヤ電極２が巻回されることによってワイヤ電極２はコイル形状となる。このコイル状のワイヤによって形成される内側の空間に高周波絶縁要素４２を配置することで、ワイヤ電極２のインピーダンスが大きくなる。
【００２７】
これにより実施の形態１と同様に各切断ワイヤ部２ａが高周波的に絶縁されるため、効率的に同時並列的な放電が可能となる。さらに実施の形態１に比べて、磁性体からなる高周波絶縁要素４２がワイヤ電極２に対向する面積も大きくなるので、高周波絶縁性能を向上させることができる。
【００２８】
ただし、コイル状のワイヤによって形成される空間は被加工物８が加工送りされる方向にあるため、加工が進行すると高周波絶縁要素の形状によっては高周波絶縁要素が被加工物８と干渉してしまう。そこで高周波絶縁要素を図２に示すようなＵ字型の形状の高周波絶縁要素４２とすることで、被加工物８との干渉を回避することができる。
【００２９】
即ち、高周波絶縁要素４２は、放電加工時に被加工物８との干渉を回避するために被加工物８が送られて来る向きに凹部を有しているので、例えば、ガイドローラの延伸方向と垂直な面での断面がＵ字型の形状となる。
【００３０】
また、切断ワイヤ部２ａの方向が凹んでいて被加工物８との干渉を回避可能な形状としては、図２の高周波絶縁要素４２からワイヤ部２ｂに近接した部分を取り除いた断面がＬ字型の形状、或いは、図２の高周波絶縁要素４２からワイヤ部２ｃに近接した部分を取り除いた断面がＬ字型の形状等も変形例として考えられる。
【００３１】
以上の構成によれば、複数のガイドローラ３ａ、３ｂ、３ｃ、および３ｄによって形成される空間に高周波絶縁要素４２を配置することで各切断ワイヤ部２ａの間が高周波的に絶縁されるため、効率的に同時並列的な放電加工が可能となる。
【００３２】
本実施の形態においては、複数の切断ワイヤをまとめて一つのコイルとみなして当該コイルの自己インダクタンスを高くすることで各切断ワイヤの高周波絶縁性を高めた上、さらに、高周波絶縁要素４２と被加工物８との干渉を回避しつつワイヤ電極２と高周波絶縁要素４２が対向する面積を増大させることができるので、高周波絶縁性能がさらに向上する。また、従来技術に比べて高周波絶縁要素の取り付けが容易であり、一つの高周波絶縁要素で複数のワイヤをまとめて高周波絶縁することにより加工段取りの工数を削減でき、生産性を向上させることができる。
【００３３】
実施の形態３．
図３は本発明の実施の形態３にかかるワイヤ放電加工装置３００の装置全体を示す図である。ここで、先に説明した実施の形態１にかかる図１と同一の符号は同一の構成要素を表わしており、説明を省略する。
【００３４】
本実施の形態においては、実施の形態１の図１の構成において複数のワイヤ部２ｃに近接するように設けた高周波絶縁要素４１の代わりに、図３に示すように複数のワイヤ電極２を取り囲んで覆うように高周波絶縁要素４３を配置している。
【００３５】
ワイヤ電極２のうち第１のガイドローラ３ａと第４のガイドローラ３ｄとの間のワイヤ部２ｃは磁性体からなる高周波絶縁要素４３によって取り囲まれており、切断ワイヤ部２ａはそれぞれ高周波的に絶縁される。高周波絶縁要素４３には、例えば鉄やフェライトなどの磁性体からなるコアが用いられる。
【００３６】
高周波絶縁要素４１をワイヤ電極２に近接させる実施の形態１と比べて、高周波絶縁要素４３は複数本のワイヤ電極２を覆う形状、例えば中空形状であるループ（環）状の形状であることから、高周波電流によって発生した磁界をより効率よく引き寄せ、高周波絶縁性能がさらに向上する。また、並列した複数のワイヤ電極を取り囲んで、高周波絶縁性能を向上できるような形状であれば、必ずしもループ状に完全に連続した形状でなくてもよい。即ち、高周波絶縁要素４３は途中に切れ目があってもかまわない。
【００３７】
なお高周波絶縁要素４３は放電電流経路とならないワイヤ部を覆う必要があるので、高周波絶縁要素４３は給電子７から切断ワイヤ部２ａまでの距離が長い側のワイヤ部を覆うように配置される。図３の場合、高周波絶縁要素４３は給電子７からガイドローラ３ｃ、３ｄ、３ａを経由して切断ワイヤ部２ａまでの間に配置される。
【００３８】
高周波絶縁要素４３は分割可能な形状とし、ワイヤ電極２をガイドローラ３ａ、３ｂ、３ｃ、および３ｄに巻回した後に、複数のワイヤ部２ｃを覆うように、分割された高周波絶縁要素４３を締結具などで固定する形態にしてもよい。このように高周波絶縁要素４３を複数の部分に分割可能な形状にすることで分解が可能となり、高周波絶縁要素４３の着脱がさらに容易になる。
【００３９】
以上の構成によれば、複数のガイドローラ３ａ〜３ｄによって形成される空間に高周波絶縁要素４３を配置することで各切断ワイヤ部２ａの間が高周波的に絶縁されるため、効率的に同時並列的な放電加工が可能となる。さらに高周波絶縁要素４３は、上記空間を経て複数本のワイヤ電極を取り囲んで覆う形状であるため、高周波絶縁性能がさらに向上する。
【００４０】
即ち、複数の切断ワイヤをまとめて一つのコイルとみなし、このコイルの自己インダクタンスを高くすることで、各切断ワイヤの高周波絶縁性を高めている。また、従来技術に比べて高周波絶縁要素の取り付けが容易であり、一つの高周波絶縁要素で複数のワイヤをまとめて高周波絶縁することにより加工段取りの工数を削減でき、生産性を向上させることができる。
【００４１】
実施の形態４．
図４は本発明の実施の形態４を説明する図であり、図１のワイヤ電極２とガイドローラ３ａ〜３ｄに、加工槽８０を加えて図示したものである。また、図５−１は図４を真上から見た上面投影図、図５−２は図４のガイドローラ３ａ〜３ｄの軸方向を紙面垂直方向に見た正面投影図、図５−３は図４の切断ワイヤ部２ａのワイヤ走行方向を紙面垂直方向に見た側面投影図を示したものである。
【００４２】
図４において、ワイヤ電極２をガイドローラ３ａ〜３ｄに巻回することによって形成された切断ワイヤ部２ａは、加工槽８０に貯められた加工液に浸漬される。加工液には一般に水または油が用いられる。ガイドローラ３ａ〜３ｄ、および加工槽８０を磁性体とすると、ガイドローラ３ａ〜３ｄと加工槽８０からなる構造体はワイヤを覆う形態となるから、実施の形態３で述べた高周波絶縁要素４３と同様の効果を奏する。
【００４３】
図４の上面投影図を示した図５−１と右側面投影図を示した図５−３には、ワイヤ電極２を覆う磁性体によるループ９１、９２、９３を一点鎖線で表している。磁性体によりワイヤ電極２をループ状に覆うことで、ループ９１、９２、９３は擬似的なコアとして機能する。
【００４４】
図５−１のループ９１はガイドローラ３ａおよび３ｄと加工槽８０の壁面によって形成され、ガイドローラ３ａと３ｄ間のワイヤ電極２のインピーダンスを高める。同じくループ９２はガイドローラ３ｂおよび３ｃと加工槽８０の壁面によって形成され、ガイドローラ３ｂと３ｃ間のワイヤ電極２のインピーダンスを高める。図５−３のループ９３はガイドローラ３ｃおよびガイドローラ３ｄと加工槽８０の壁面によって形成され、３ｃと３ｄ間のワイヤ電極２のインピーダンスを高める。
【００４５】
ここで、ガイドローラ３ａ〜３ｄと加工槽８０は高周波絶縁機能を備えるために磁性体である必要があるが、ガイドローラ３ａ〜３ｄが導体だとガイドローラ３ａ〜３ｄから加工槽８へと放電電流が流れ、被加工物８へ放電電流が流れにくくなる。従って、ワイヤ電極２と接するガイドローラ３ａ〜３ｄの外周は絶縁体であることが望ましい。
【００４６】
そこで例えば、ガイドローラ３ａ〜３ｄの外周は絶縁体（絶縁材）、ガイドローラ３ａ〜３ｄの内芯は磁性体（磁性材）とする。即ち、各ガイドローラ３ａ〜３ｄは必ずしも全体が磁性体である必要はない。また、絶縁体であることが望ましいのはワイヤ電極２と接する部分なので、ワイヤ電極２と接する部分が絶縁体であればよく、ガイドローラ３ａ〜３ｄの外周が必ずしも全て絶縁体である必要はない。
【００４７】
さらに、ガイドローラ３ａ〜３ｄの内芯は加工槽８０に取り付けられた軸受によって保持されるが、軸受を磁性体にすることでさらに高周波絶縁性能を向上させることも可能である。また、ガイドローラ３ａ〜３ｄには磁性絶縁体（磁性絶縁材）を用いてもよく、この場合はガイドローラ３ａ〜３ｄの外周と内芯で異なる材質にする必要がなくなる。
【００４８】
以上の構成によれば、ガイドローラ３ａ〜３ｄと加工槽８０を磁性体とすることで各切断ワイヤ部２ａの間が高周波的に絶縁されるため、効率的に同時並列的な放電加工が可能となる。即ち、複数の切断ワイヤをまとめて一つのコイルとみなし、このコイルの自己インダクタンスを高くすることで、各切断ワイヤの高周波絶縁性を高めている。
【００４９】
さらに高周波絶縁要素は複数本のワイヤ電極２を覆う形状であるため、高周波絶縁性能がさらに向上する。また、加工装置の構造自体が高周波絶縁機能を有するため、複数のワイヤをまとめて高周波絶縁することができ加工段取りの工数を削減でき、生産性を向上させることができる。
【００５０】
実施の形態５．
図６は本発明の実施の形態５を説明する図であり、実施の形態４を示した図４に磁性体からなる高周波絶縁要素４４をさらに追加したものである。また、図７は図６の右側面投影図を示したものである。
【００５１】
実施の形態４において、ガイドローラ３ａ〜３ｄは図示しない軸受によって加工槽８０に保持される。ここでガイドローラ３ａ〜３ｄと軸受間には潤滑油が介在するため、ループ９１、９２、９３における高周波絶縁性能の低下が懸念される。そこで実施の形態５では図６のようにガイドローラ３ｃと３ｄ間のワイヤ上方に磁性体からなる高周波絶縁要素４４を加工槽８０に接触するように設ける。
【００５２】
図６の右側面投影図を示した図７において、磁性体によりワイヤ電極２が覆われるループ９４を一点鎖線で表している。磁性体によりワイヤ電極２をループ状に覆うことで、当該ループ９４は擬似的なコアとして機能する。複数の切断ワイヤをまとめて一つのコイルとみなし、このコイルの自己インダクタンスを高くすることで、各切断ワイヤの高周波絶縁性を高めている。
【００５３】
ループ９４は高周波絶縁要素４４と加工槽８０の壁面によって形成され、３ｃと３ｄ間のワイヤ電極２のインピーダンスを高める。即ち、高周波絶縁要素４４は加工槽８０と直に接触することから、実施の形態４より高周波絶縁性能をさらに向上させることが可能となる。
【００５４】
以上説明したワイヤ放電加工装置の構成によれば、各切断ワイヤ部の間が高周波的に絶縁されるため、効率的に同時並列的な放電加工が可能となる。さらに、磁性体からなる加工槽と高周波絶縁要素を直接、接触させることにより高周波絶縁性能をさらに向上させることができる。また、高周波絶縁要素の取り付けが容易であり、一つの高周波絶縁要素で複数のワイヤをまとめて高周波絶縁することができ加工段取りの工数を削減でき、生産性を向上させることができる。
【００５５】
なお、上記実施の形態１乃至５において、高周波絶縁要素に鉄系材料を用い、加工液を水とした場合、高周波絶縁要素に錆が発生する。そこで、亜硝酸イオン等の防錆効果をもつ添加物を加工液に添加することが望ましく、例えば、図示しない亜硝酸イオン交換樹脂に加工液を通水する亜硝酸イオン交換手段を備える等の方法が考えられる。
【００５６】
さらに、本願発明は上記実施の形態に限定されるものではなく、実施段階ではその要旨を逸脱しない範囲で種々に変形することが可能である。また、上記実施の形態には種々の段階の発明が含まれており、開示される複数の構成要件における適宜な組み合わせにより種々の発明が抽出されうる。
【００５７】
例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出されうる。更に、上記実施の形態１乃至５を適宜併用してもよく、併用することによりさらに高い高周波絶縁性能を奏することが可能となる。
【産業上の利用可能性】
【００５８】
以上のように、本発明にかかるワイヤ放電加工装置は、簡易な構造で各切断ワイヤ部の高周波絶縁性を高めるのに有用であり、特に、同時並列的な放電加工を実現しながら被加工物を薄くスライスするワイヤ放電加工装置に適している。
【符号の説明】
【００５９】
１  ワイヤボビン
２  ワイヤ電極
２ａ  切断ワイヤ部
２ｂ、２ｃ  ワイヤ部
３ａ、３ｂ、３ｃ、３ｄ  ガイドローラ
５  回収ローラ
６  加工電源
６１  加工電源ユニット
７  給電子
７１  給電子ユニット
８  被加工物
４１、４２、４３、４４  高周波絶縁要素
８０  加工槽
９１、９２、９３、９４  ループ
１００、２００、３００  ワイヤ放電加工装置
【図１】
0005495957.tif 000002
【図２】
0005495957.tif 000003
【図３】
0005495957.tif 000004
【図４】
0005495957.tif 000005
【図５−１】
0005495957.tif 000006
【図５−２】
0005495957.tif 000007
【図５−３】
0005495957.tif 000008
【図６】
0005495957.tif 000009
【図７】
0005495957.tif 000010